【事件の表示】
　特願２００３−２８１９０５「カラーフィルタ用着色組成物およびカラーフィルタ」拒絶査定不服審判事件〔平成１７年　２月２４日出願公開、特開２００５−　４９６３６〕について、次のとおり審決する。
【結　論】
　本件審判の請求は、成り立たない。
【理　由】
第１　手続の経緯
　本願は、平成１５年７月２９日の出願であって、平成１８年５月２６日付け及び平成２１年７月３１日付けで手続補正がなされ、平成２１年１０月２０日付けで拒絶査定がなされ、これに対して、平成２２年１月２２日付けで拒絶査定不服審判の請求がなされたものである。
　
第２　本願発明
　本願の請求項１ないし７に係る発明は、平成２１年７月３１日付けの手続補正により補正された明細書及び特許請求の範囲の記載からみて、特許請求の範囲の請求項１ないし７にそれぞれ記載された事項によって特定されるものと認められるところ、その請求項１に係る発明（以下「本願発明」という。）は、次のとおりのものである。
　
「透明樹脂、その前駆体またはそれらの混合物からなる着色料担体と、水溶性無機塩と水溶性有機溶剤と共に８時間以上混練してなる下記一般式（ １ ）で表されるジオキサジン系顔料とを含むことを特徴とするカラーフィルタ用着色組成物。
一般式（ １ ）
【化１】
〔式中、Ｒ1〜Ｒ6は、それぞれ独立に、Ｈ、ＣＨ3、Ｃ2Ｈ5、ＯＣＨ3、ＯＣ2Ｈ5、Ｃｌ、Ｂｒ、ＮＯ2、ＣＯＯＣ2Ｈ5またはＣＯＯＣＨ3を示す。〕」
　
第３　引用刊行物
　原査定の拒絶の理由に引用された、本願の出願前に頒布された刊行物である特開２００２−１７９９３６号公報（以下「引用例」という。）には、次の事項が記載されている（下線は審決で付した。以下同じ。）。
　
１　「【請求項１】  
下記式（１）の２種類以上の異なるベンズイミダゾロンジオキサジン化合物を含む混晶
【化１】
［式中、ＸおよびＸ′は同一または異なっており、水素またはハロゲンであり；Ｒ１、Ｒ１′、Ｒ２およびＲ２′は同一または異なっており、水素、Ｃ
１
〜Ｃ
１８
アルキル、トリフルオロメチル、Ｃ
１
〜Ｃ
１８
アルキルカルボニル、Ｃ
５
〜Ｃ
６
シクロアルキルまたはフェニルであって、それらは未置換であるかあるいは１以上のハロゲン原子、ニトロ基、トリフルオロメチル基、Ｃ
１
〜Ｃ
１８
アルキル基、Ｃ
１
〜Ｃ
１８
アルコキシ基、Ｃ
１
〜Ｃ
１８
アルキルカルボニル基および／またはＣ
１
〜Ｃ
１８
アルコキシカルボニル基によって置換されていても良い。］
…（略）…
【請求項１８】  塗料、プラスチック、印刷インク、水系もしくは溶媒に基づく顔料製剤、電子写真用のトナーもしくは現像剤、粉末コーティング材料、インク、好ましくはインクジェット用インク、
カラーフィルターの着色での
請求項１
に記載の混晶の使用
　
２　「【発明が解決しようとする課題】本発明の目的は、高い色強度、良好な分散性、良好な光安定性および良好な耐候性を有するジオキサジン系顔料を提供することにある。さらに別の目的は、特に赤色の色調を有するジオキサジン系顔料を提供することにある。
【０００４】
【課題を解決するための手段】驚くべきことに以下の式（１）の各種化合物の混晶がこれらの目的を達成することが認められた。」
　
３　「【００３６】所望の利用分野に応じて、得られる顔料について物理的微粉砕を行うことが妥当である場合がある。微粉砕は、湿式または乾式の粉砕あるいは混練によって行うことができる。粉砕および／または混練の後に、溶媒、水または溶媒／水混合物で処理することができる。」
　
４　上記１から、引用例には、次の発明（以下「引用発明」という。）が記載されていると認められる。
　
「下記式（１）の２種類以上の異なるベンズイミダゾロンジオキサジン化合物を含み、カラーフィルターの着色に使用される混晶。
［式中、ＸおよびＸ′は同一または異なっており、水素またはハロゲンであり；Ｒ１、Ｒ１′、Ｒ２およびＲ２′は同一または異なっており、水素、Ｃ１〜Ｃ１８アルキル、トリフルオロメチル、Ｃ１〜Ｃ１８アルキルカルボニル、Ｃ５〜Ｃ６シクロアルキルまたはフェニルであって、それらは未置換であるかあるいは１以上のハロゲン原子、ニトロ基、トリフルオロメチル基、Ｃ１〜Ｃ１８アルキル基、Ｃ１〜Ｃ１８アルコキシ基、Ｃ１〜Ｃ１８アルキルカルボニル基および／またはＣ１〜Ｃ１８アルコキシカルボニル基によって置換されていても良い。］」
　
第４　対比
　本願発明と引用発明とを対比する。
１　引用発明の「ベンズイミダゾロンジオキサジン化合物」及び「カラーフィルターの着色に使用される混晶」は、それぞれ、本願発明の「ジオキサジン系顔料」及び「カラーフィルタ用着色組成物」に相当する。
　
２　引用発明の「式（１）
［式中、ＸおよびＸ′は同一または異なっており、水素またはハロゲンであり；Ｒ１、Ｒ１′、Ｒ２およびＲ２′は同一または異なっており、水素、Ｃ１〜Ｃ１８アルキル、トリフルオロメチル、Ｃ１〜Ｃ１８アルキルカルボニル、Ｃ５〜Ｃ６シクロアルキルまたはフェニルであって、それらは未置換であるかあるいは１以上のハロゲン原子、ニトロ基、トリフルオロメチル基、Ｃ１〜Ｃ１８アルキル基、Ｃ１〜Ｃ１８アルコキシ基、Ｃ１〜Ｃ１８アルキルカルボニル基および／またはＣ１〜Ｃ１８アルコキシカルボニル基によって置換されていても良い。］」は、本願発明の「一般式（ １ ）
【化１】
〔式中、Ｒ1〜Ｒ6は、それぞれ独立に、Ｈ、ＣＨ3、Ｃ2Ｈ5、ＯＣＨ3、ＯＣ2Ｈ5、Ｃｌ、Ｂｒ、ＮＯ2、ＣＯＯＣ2Ｈ5またはＣＯＯＣＨ3を示す。〕」に相当する。
　
３　上記１及び２から、本願発明と引用発明とは、
「下記一般式（ １ ）で表されるジオキサジン系顔料を含むカラーフィルタ用着色組成物。
一般式（ １ ）
【化１】
〔式中、Ｒ1〜Ｒ6は、それぞれ独立に、Ｈ、ＣＨ3、Ｃ2Ｈ5、ＯＣＨ3、ＯＣ2Ｈ5、Ｃｌ、Ｂｒ、ＮＯ2、ＣＯＯＣ2Ｈ5またはＣＯＯＣＨ3を示す。〕」
である点で一致し、次の点で相違する。
　
相違点１：
　前記ジオキサジン系顔料が、本願発明では、「水溶性無機塩と水溶性有機溶剤と共に８時間以上混練してなる」ものであるのに対して、引用発明では、そのようなものでない点。
　
相違点２：
　前記カラーフィルタ用着色組成物が、本願発明では、「透明樹脂、その前駆体またはそれらの混合物からなる着色料担体」を含むのに対して、引用発明では、そのような着色料担体を含まない点。
　
第５　判断
　上記相違点１及び２について検討する。
１　相違点１について
（１）引用例には、「
所望の利用分野に応じて、得られる顔料について物理的微粉砕を行うことが妥当である
微粉砕は、湿式
の
混練によって行う
　
（２）カラーフィルタに用いる顔料を、水溶性無機塩と水溶性有機溶剤とともに８時間以上混練し微細化することは、本願の出願前に周知である（以下「周知技術１」という。例．特開２００３−１３１０２１号公報特に【０００１】、【００３６】ないし【００４４】及び【００７５】、特開２００２−１２１４２０号公報特に【０００６】、【００２２】、【００２３】及び【００３６】参照。）。
　
（３）上記（１）及び（２）から、引用発明において、混晶を、水溶性無機塩と水溶性有機溶剤とともに８時間以上混練して微粉砕したものとし、上記相違点１に係る本願発明の構成となすことは、当業者が、引用例に記載された事項及び周知技術１に基づいて容易になし得た程度のことである。
　
２　相違点２について
　透明樹脂、その前駆体またはそれらの混合物からなる着色料担体と、顔料とを含むカラーフィルタ用着色組成物は、本願の出願前に周知である（以下「周知技術２」という。例．特開２００３−８４１１６号公報特に【請求項１】及び特開２００３−４３６８０号公報特に【請求項１】参照。）から、引用発明の混晶に、透明樹脂、その前駆体またはそれらの混合物からなる着色料担体を加えて、カラーフィルタ用着色組成物となし、上記相違点２に係る本願発明の構成となすことは、当業者が周知技術２に基づいて容易になし得た程度のことである。
　
３　効果について
（１）本願明細書には、
「【発明の効果】
　【００１１】
　本発明の着色組成物は、着色組成物中に含まれている紫色顔料の透過波長領域が短波長側にシフトしているため、極めて明度の高い青色フィルタセグメントを基板上に形成することができる。
　また、本発明のカラーフィルタは、透過波長領域が短波長側にシフトしている特定の構造のジオキサジン系顔料を紫色顔料として含む着色組成物を用いて形成されるため、フィルタセグメントの分光スペクトルがコントロールされ、高い明度と高い色純度を併せ持つ。
　また、本発明のカラーフィルタは、色温度・ｄｕｖが同等程度でホワイトの明度が高いため、カラー液晶表示装置に高明度と高彩度とを同時に付与することができ、透過型・反射型のカラー液晶表示装置ならびに固体撮像素子の色分解用カラーフィルタとして好適である。
【発明を実施するための最良の形態】
　【００１２】
　まず、本発明の着色組成物について説明する。
　本発明の着色組成物は、透明樹脂、その前駆体またはそれらの混合物からなる着色料担体と、該着色料担体に分散された、水溶性無機塩と水溶性有機溶剤と共に８時間以上混練してなる上記一般式（１）で表されるジオキサジン系顔料を含む。
　上記一般式（１）で表されるジオキサジン系顔料としては、C.I. Pigment Blue 80が挙げられる。特に、上記式（１）で表されるジオキサジン系顔料であって、該顔料を前記着色料担体に分散してなる紫色組成物を用いて５６０ｎｍにおける分光透過率が１％になるように塗膜を形成したとき、該塗膜の６１０ｎｍにおける分光透過率が１５％以下かつ４２５ｎｍにおける分光透過率が７５％以上となる分光特性を有するジオキサジン系顔料を含む本発明の着色組成物を用いて青色フィルタセグメントを形成すると、従来の青色フィルタセグメントと比較して同一色相時の５０％以上の透過波長領域が短波長側にシフトされ、より透過領域が広がり透過度が高くなる。
　【００１３】
　このような分光特性を有するジオキサジン系顔料は、上記式（１）で表されるジオキサジン系顔料（C.I. Pigment Blue 80）を水溶性無機塩と少量の水溶性有機溶剤と共に加熱しながら８時間以上混練して顔料粒径を制御するソルトミリング処理を行うことにより、製造することができる。ジオキサジン系顔料と水溶性無機塩および水溶性有機溶剤との混練時間は、得られるソルトミリング処理顔料の色特性とソルトミリング処理に要する費用のバランスの点から２４時間以下であることが好ましい。
　一般的な顔料のソルトミリング処理時間は２〜４時間であるが、この程度の処理時間では、上記式（１）で表されるジオキサジン系顔料をソルトミリング処理して得られる顔料を着色料担体に分散しても、５６０ｎｍにおける分光透過率が１％になるように塗膜を形成したとき、該塗膜の６１０ｎｍにおける分光透過率が１５％以下かつ４２５ｎｍにおける分光透過率が７５％以上とならず、透過領域が広がりが少ないので透過度が充分に高くならない。
　【００１４】
　
ソルトミリング処理とは、具体的には、顔料と水溶性無機塩と水溶性有機溶剤との混合物を、ニーダー等の混練機を用いて加熱しながら混練した後、水洗により水溶性無機塩と水溶性有機溶剤を除去する処理である
顔料をソルトミリング処理する際には、加熱により結晶成長を促進する必要があり、加熱温度は７０〜１５０℃が好ましい。加熱温度が７０℃未満の場合は、結晶成長が十分に起こらず、顔料粒子の形状が無定形に近くなるため好ましくない。一方、加熱温度が１５０℃を越える場合は、結晶成長が進みすぎ、顔料の一次粒子径が大きくなるため、カラーフィルタ用着色組成物の着色料としては好ましくない
　
（２）上記（１）から、ソルトミリング処理により、顔料と水溶性無機塩と水溶性有機溶剤との混合物を、ニーダー等の混練機を用いて加熱しながら混練する際、所望形状の顔料粒子を得るためには、混練時の加熱温度を特定する必要があることが明らかである。
　また、ソルトミリング処理により所望形状の顔料粒子を得るためには、前記加熱温度以外にも、顔料と水溶性無機塩と水溶性有機溶剤との混合割合、ニーダー等の混練機の回転数等の駆動条件等を特定する必要があることは、当業者に自明である。
　したがって、本願発明が、種々ある混練条件のうち、混練時間以外の混練条件を何ら特定することなく、混練時間のみを単に「８時間以上」と特定する点に、格別の技術的意義を認めることはできないから、本願発明の奏する効果は、当業者が、引用発明の奏する効果、引用例に記載された事項、周知技術１の奏する効果及び周知技術２の奏する効果から予測できた程度のものである。
　
４　まとめ
　したがって、本願発明は、当業者が、引用例に記載された発明、引用例に記載された事項、周知技術１及び周知技術２に基づいて容易に発明をすることができたものである。
　
第６　むすび
　以上のとおり、本願発明は、当業者が、引用例に記載された発明、引用例に記載された事項、周知技術１及び周知技術２に基づいて容易に発明をすることができたものであるから、特許法第２９条第２項の規定により特許を受けることができない。
　よって、結論のとおり審決する。